【手続補正書】
【提出日】平成21年11月10日(2009.11.10)
【手続補正１】
【補正対象書類名】特許請求の範囲
【補正対象項目名】全文
【補正方法】変更
【補正の内容】
【特許請求の範囲】
【請求項１】
各患者に投与する薬剤を収納した与薬容器が、該当する患者用のものであることを照合するための医療用患者照合システムであって、
該与薬容器を固定若しくは保持するための与薬容器設置台に装着可能なプレート装着ブロックと、
該与薬容器に装着可能な穿孔プレートと、
を備え、
該与薬容器に装着された穿孔プレートと、前記与薬容器設置台に装着されたプレート装着ブロックとを連結することで、該与薬容器を前記与薬容器設置台に装着可能に構成してなり、
前記穿孔プレートは、
該与薬容器に設けられた装着部分に装着可能な容器連結部と、
穿孔パターンを穿孔可能な平板状の穿孔領域と
を備え、
前記プレート装着ブロックは、
前記与薬容器設置台に装着可能な設置台装着部と、
与薬容器に装着された穿孔プレートの穿孔領域と略等しい大きさの平面状に形成されたプレート装着部と、
前記プレート装着部に所定のパターンで形成された突起孔に挿入され、突出パターンに応じて突起孔から突出させることが可能な複数の進退突起と、
を備え、
前記医療用患者照合システムはさらに、
各患者に付与される固有の識別情報を入力するための識別情報入力手段と、
前記識別情報入力手段で入力された識別情報に従って、該識別番号と対応する固有の穿孔パターンを生成可能なパターン生成手段と、
前記穿孔プレートをセットした状態で、前記パターン生成手段で生成された穿孔パターンに従って、前記穿孔プレートの穿孔領域を穿孔パターン通りに穿孔するための穿孔手段と、
前記プレート装着ブロックをセットした状態で、前記パターン生成手段で生成された穿孔パターンと対応して、該穿孔パターンの各穿孔位置に対応する進退突起を突出／収納位置に調整してプレート装着部の突出パターンを形成する突出パターン形成手段と、
を有する穿孔機と、
を備え、
前記穿孔プレートの穿孔パターンと、前記プレート装着部の突出パターンが一致する場合に、穿孔パターンに突出パターンを挿入してこれらを装着可能に構成してなることを特徴とする医療用患者照合システム。
【請求項２】
患者に投与する薬剤を収納した与薬容器が、該当する患者用のものであることを照合するための医療用患者照合システムであって、
前記与薬容器に連結可能で、前記患者に固有の穿孔パターンで貫通孔が形成される穿孔プレートと、
前記穿孔プレートが装着されるプレート装着部、及び、前記穿孔プレートに形成される貫通孔に挿通可能に突出する複数の進退突起を有するプレート装着ブロックと、
前記プレート装着ブロックに前記穿孔プレートを装着する際、前記患者に固有の突出パターンに従って進退突起を突出させる制御装置と、
を備えたことを特徴とする医療用患者照合システム。
【請求項３】
患者に投与する薬剤を収納した与薬容器が、該当する患者用のものであることを照合するための医療用患者照合システムであって、
前記患者に固有の第１パターンで貫通孔を形成される第１プレートと、
前記与薬容器に連結可能で、前記第１パターンに関連付けされた第２パターンで貫通孔を形成される第２プレートと、
前記第１プレートが装着される第１装着部、
前記第２プレートが装着される第２装着部、
前記第２プレートの貫通孔に挿通して第２装着部からの脱落を防止する複数の進退突起、及び、
前記第１装着部に装着された第１プレートに形成された貫通孔の第１パターンと、前記第２装着部に装着された第２プレートに形成された貫通孔の第２パターンとが関連付けされたものである場合、前記第２プレートに係合して前記第２装着部からの脱落を防止する脱落防止部、
を有するプレート装着ブロックと、
を備えたことを特徴とする医療用患者照合システム。
【請求項４】
各患者に投与する薬剤を収納した与薬容器が、該当する患者用のものであることを照合するための医療用患者照合システムにおいて使用される、与薬容器を固定若しくは保持するための与薬容器設置台に備えられたプレート装着ブロックと、該与薬容器に備えられた穿孔プレートに、所定のパターンを形成するための穿孔機であって、
各患者に付与される固有の識別情報を入力するための識別情報入力手段と、
前記識別情報入力手段で入力された識別情報に従って、該識別番号と対応する固有の穿孔パターンを生成可能なパターン生成手段と、
前記穿孔プレートをセットした状態で、前記パターン生成手段で生成された穿孔パターンに従って、前記穿孔プレートの穿孔領域を穿孔パターン通りに穿孔するための穿孔手段と、
前記プレート装着ブロックをセットした状態で、前記パターン生成手段で生成された穿孔パターンと対応して、該穿孔パターンの各穿孔位置に対応する進退突起を突出／収納位置に調整してプレート装着部の突出パターンを形成する突出パターン形成手段と、
を備え、
前記穿孔プレートの穿孔パターンと、前記プレート装着部の突出パターンが一致する場合に、穿孔パターンに突出パターンを挿入してこれらを装着可能としたことを特徴とする穿孔機。
【請求項５】
各患者に投与する薬剤を収納した与薬容器が、該当する患者用のものであることを照合するための医療用患者照合システムにおいて使用される、与薬容器を固定若しくは保持するための与薬容器設置台であって、
一端に該与薬容器を装着するための一以上のプレート装着ブロックを備えており、
前記プレート装着ブロックは、
前記与薬容器設置台に装着可能な設置台装着部と、
与薬容器に装着された穿孔プレートの穿孔領域と略等しい大きさの平面状に形成されたプレート装着部と、
前記プレート装着部に所定のパターンで形成された突起孔に挿入され、突出パターンに応じて突起孔から突出させることが可能な複数の進退突起と、
を備えており、
突出パターンは各患者に付与される固有の識別情報に従って生成され、かつ突出パターンと一致するパターンに形成された穿孔パターンに穿孔された穿孔プレートに対しては、前記突出パターンに設定された進退突起を各々挿入して、前記穿孔プレートを前記プレート装着ブロックに装着可能に構成してなることを特徴とする与薬容器設置台。
【請求項６】
各患者に投与する薬剤を収納した与薬容器が、該当する患者用のものであることを照合するための医療用患者照合システムにおいて使用される、与薬容器を固定若しくは保持するための与薬容器設置台に装着可能なプレート装着ブロックであって、
前記与薬容器設置台に装着可能な設置台装着部と、
与薬容器に装着された穿孔プレートの穿孔領域と略等しい大きさの平面状に形成されたプレート装着部と、
前記プレート装着部に所定のパターンで形成された突起孔に挿入され、突出パターンに応じて突起孔から突出させることが可能な複数の進退突起と、
を備えており、
突出パターンは各患者に付与される固有の識別情報に従って生成され、かつ突出パターンと一致するパターンに形成された穿孔パターンに穿孔された穿孔プレートに対しては、前記突出パターンに設定された進退突起を各々挿入して、前記穿孔プレートを装着可能に構成してなることを特徴とするプレート装着ブロック。
【請求項７】
与薬容器設置台に装着された状態で各患者に投与する薬剤を収納可能な与薬容器であって、
薬剤を収納する薬剤収納部と、
穿孔パターンを穿孔可能な平板状の穿孔領域を設けた穿孔プレートと
を備え、
前記穿孔プレートを、該与薬容器設置台に装着されたプレート装着ブロックに連結することで、該与薬容器を前記与薬容器設置台に装着すると共に、
前記穿孔プレートの穿孔パターンと、前記プレート装着部の突出パターンが一致する場合に、穿孔パターンに突出パターンを挿入してこれらを装着可能となるように構成してなることを特徴とする与薬容器。
【手続補正２】
【補正対象書類名】明細書
【補正対象項目名】０００７
【補正方法】変更
【補正の内容】
【０００７】
第１の本発明は、前記課題を解決するための手段として、
各患者に投与する薬剤を収納した与薬容器が、該当する患者用のものであることを照合するための医療用患者照合システムであって、
該与薬容器を固定若しくは保持するための与薬容器設置台に装着可能なプレート装着ブロックと、
該与薬容器に装着可能な穿孔プレートと、
を備え、
該与薬容器に装着された穿孔プレートと、前記与薬容器設置台に装着されたプレート装着ブロックとを連結することで、該与薬容器を前記与薬容器設置台に装着可能に構成してなり、
前記穿孔プレートは、
該与薬容器に設けられた装着部分に装着可能な容器連結部と、
穿孔パターンを穿孔可能な平板状の穿孔領域と
を備え、
前記プレート装着ブロックは、
前記与薬容器設置台に装着可能な設置台装着部と、
与薬容器に装着された穿孔プレートの穿孔領域と略等しい大きさの平面状に形成されたプレート装着部と、
前記プレート装着部に所定のパターンで形成された突起孔に挿入され、突出パターンに応じて突起孔から突出させることが可能な複数の進退突起と、
を備え、
前記医療用患者照合システムはさらに、
各患者に付与される固有の識別情報を入力するための識別情報入力手段と、
前記識別情報入力手段で入力された識別情報に従って、該識別番号と対応する固有の穿孔パターンを生成可能なパターン生成手段と、
前記穿孔プレートをセットした状態で、前記パターン生成手段で生成された穿孔パターンに従って、前記穿孔プレートの穿孔領域を穿孔パターン通りに穿孔するための穿孔手段と、
前記プレート装着ブロックをセットした状態で、前記パターン生成手段で生成された穿孔パターンと対応して、該穿孔パターンの各穿孔位置に対応する進退突起を突出／収納位置に調整してプレート装着部の突出パターンを形成する突出パターン形成手段と、
を有する穿孔機と、
を備え、
前記穿孔プレートの穿孔パターンと、前記プレート装着部の突出パターンが一致する場合に、穿孔パターンに突出パターンを挿入してこれらを装着可能に構成したものである。
【手続補正３】
【補正対象書類名】明細書
【補正対象項目名】０００８
【補正方法】変更
【補正の内容】
【０００８】
この構成により、患者間での医薬の取り違えなどのミスを物理的に防ぐことが可能となる。各患者に付与されるＩＤなどの識別情報を利用して、患者固有の穿孔パターンを穿孔機で生成して与薬容器をセットする嵌合構造の可否を決定できるので、穿孔パターンと突出パターンが一致しないと、穿孔プレートをプレート装着ブロックに装着できず、与薬容器を装着不能として、薬剤の取り違いを物理的に阻止できる。
【手続補正４】
【補正対象書類名】明細書
【補正対象項目名】０００９
【補正方法】変更
【補正の内容】
【０００９】
第２の本発明は、前記課題を解決するための手段として、
患者に投与する薬剤を収納した与薬容器が、該当する患者用のものであることを照合するための医療用患者照合システムであって、
前記与薬容器に連結可能で、前記患者に固有の穿孔パターンで貫通孔が形成される穿孔プレートと、
前記穿孔プレートが装着されるプレート装着部、及び、前記穿孔プレートに形成される貫通孔に挿通可能に突出する複数の進退突起を有するプレート装着ブロックと、
前記プレート装着ブロックに前記穿孔プレートを装着する際、前記患者に固有の突出パターンに従って進退突起を突出させる制御装置と、
を備えたものである。
【手続補正５】
【補正対象書類名】明細書
【補正対象項目名】００１０
【補正方法】変更
【補正の内容】
【００１０】
この構成により、ある患者用に用意されたプレート装着ブロックに、他の患者の穿孔プレートを装着しようとしても、プレート装着ブロックでの進退突起の突出パターンが、装着した穿孔プレートの穿孔パターンと合致しないため、穿孔プレートを装着することができない。この結果、患者間での医薬の取り違えなどのミスを物理的に防ぐことが可能となる。
【手続補正６】
【補正対象書類名】明細書
【補正対象項目名】００１１
【補正方法】変更
【補正の内容】
【００１１】
第３の本発明は、前記課題を解決するための手段として、
患者に投与する薬剤を収納した与薬容器が、該当する患者用のものであることを照合するための医療用患者照合システムであって、
前記患者に固有の第１パターンで貫通孔を形成される第１プレートと、
前記与薬容器に連結可能で、前記第１パターンに関連付けされた第２パターンで貫通孔を形成される第２プレートと、
前記第１プレートが装着される第１装着部、
前記第２プレートが装着される第２装着部、
前記第２プレートの貫通孔に挿通して第２装着部からの脱落を防止する複数の進退突起、及び、
前記第１装着部に装着された第１プレートに形成された貫通孔の第１パターンと、前記第２装着部に装着された第２プレートに形成された貫通孔の第２パターンとが関連付けされたものである場合、前記第２プレートに係合して前記第２装着部からの脱落を防止する脱落防止部、
を有するプレート装着ブロックと、
を備えたものである。
【手続補正７】
【補正対象書類名】明細書
【補正対象項目名】００１２
【補正方法】変更
【補正の内容】
【００１２】
この構成により、患者に対して第１パターンで貫通孔を形成した第１プレートを用意しておき、与薬容器に、この第１パターンに関連付けた第２パターンで貫通孔を形成した第２プレートを装着しておけば、プレート装着ブロックに前記第１プレートを装着した状態で、前記第２プレートを装着しない限り、与薬容器をセットすることができない。また、前記プレート装着ブロックを、第１装着部に、上方から第１プレートを装着可能とし、第２装着部に、下方から第２プレートを装着可能となるように配置すると、第１プレートに対して正規の第２プレートが装着されない限り、脱落防止部によって脱落を防止された状態とならない。このため、誤って他の第２プレートを装着しても、自重により自然落下するので、確実に取り違えミスを防止することが可能となる。
【手続補正８】
【補正対象書類名】明細書
【補正対象項目名】００１３
【補正方法】変更
【補正の内容】
【００１３】
第４の本発明は、前記課題を解決するための手段として、
各患者に投与する薬剤を収納した与薬容器が、該当する患者用のものであることを照合するための医療用患者照合システムにおいて使用される、与薬容器を固定若しくは保持するための与薬容器設置台に備えられたプレート装着ブロックと、該与薬容器に備えられた穿孔プレートに、所定のパターンを形成するための穿孔機であって、
各患者に付与される固有の識別情報を入力するための識別情報入力手段と、
前記識別情報入力手段で入力された識別情報に従って、該識別番号と対応する固有の穿孔パターンを生成可能なパターン生成手段と、
前記穿孔プレートをセットした状態で、前記パターン生成手段で生成された穿孔パターンに従って、前記穿孔プレートの穿孔領域を穿孔パターン通りに穿孔するための穿孔手段と、
前記プレート装着ブロックをセットした状態で、前記パターン生成手段で生成された穿孔パターンと対応して、該穿孔パターンの各穿孔位置に対応する進退突起を突出／収納位置に調整してプレート装着部の突出パターンを形成する突出パターン形成手段と、
を備え、
前記穿孔プレートの穿孔パターンと、前記プレート装着部の突出パターンが一致する場合に、穿孔パターンに突出パターンを挿入してこれらを装着可能としたものである。
【手続補正９】
【補正対象書類名】明細書
【補正対象項目名】００１４
【補正方法】変更
【補正の内容】
【００１４】
この構成により、患者間での医薬の取り違えなどのミスを物理的に防ぐことが可能となる。各患者に付与されるＩＤなどの識別情報を利用して、患者固有の穿孔パターンを穿孔機で生成して与薬容器をセットする嵌合構造の可否を決定できるので、穿孔パターンと突出パターンが一致しないと穿孔プレートをプレート装着ブロックに装着できず、与薬容器を装着不能として、薬剤の取り違いを物理的に阻止できる。
【手続補正１０】
【補正対象書類名】明細書
【補正対象項目名】００１５
【補正方法】変更
【補正の内容】
【００１５】
第５の本発明は、前記課題を解決するための手段として、
各患者に投与する薬剤を収納した与薬容器が、該当する患者用のものであることを照合するための医療用患者照合システムにおいて使用される、与薬容器を固定若しくは保持するための与薬容器設置台であって、
一端に該与薬容器を装着するための一以上のプレート装着ブロックを備えており、
前記プレート装着ブロックは、
前記与薬容器設置台に装着可能な設置台装着部と、
与薬容器に装着された穿孔プレートの穿孔領域と略等しい大きさの平面状に形成されたプレート装着部と、
前記プレート装着部に所定のパターンで形成された突起孔に挿入され、突出パターンに応じて突起孔から突出させることが可能な複数の進退突起と、
を備えており、
突出パターンは各患者に付与される固有の識別情報に従って生成され、かつ突出パターンと一致するパターンに形成された穿孔パターンに穿孔された穿孔プレートに対しては、前記突出パターンに設定された進退突起を各々挿入して、前記穿孔プレートを前記プレート装着ブロックに装着可能に構成したものである。
【手続補正１１】
【補正対象書類名】明細書
【補正対象項目名】００１６
【補正方法】変更
【補正の内容】
【００１６】
この構成により、患者間での医薬の取り違えなどのミスを物理的に防ぐことが可能となる。各患者に付与されるＩＤなどの識別情報を利用して、患者固有の穿孔パターンを穿孔機で生成して与薬容器をセットする嵌合構造の可否を決定できるので、穿孔パターンと突出パターンが一致しないと穿孔プレートをプレート装着ブロックに装着できず、与薬容器を装着不能として、薬剤の取り違いを物理的に阻止できる。
【手続補正１２】
【補正対象書類名】明細書
【補正対象項目名】００１７
【補正方法】変更
【補正の内容】
【００１７】
第６の本発明は、前記課題を解決するための手段として、
各患者に投与する薬剤を収納した与薬容器が、該当する患者用のものであることを照合するための医療用患者照合システムにおいて使用される、与薬容器を固定若しくは保持するための与薬容器設置台に装着可能なプレート装着ブロックであって、
前記与薬容器設置台に装着可能な設置台装着部と、
与薬容器に装着された穿孔プレートの穿孔領域と略等しい大きさの平面状に形成されたプレート装着部と、
前記プレート装着部に所定のパターンで形成された突起孔に挿入され、突出パターンに応じて突起孔から突出させることが可能な複数の進退突起と、
を備えており、
突出パターンは各患者に付与される固有の識別情報に従って生成され、かつ突出パターンと一致するパターンに形成された穿孔パターンに穿孔された穿孔プレートに対しては、前記突出パターンに設定された進退突起を各々挿入して、前記穿孔プレートを装着可能に構成したものである。
【手続補正１３】
【補正対象書類名】明細書
【補正対象項目名】００１８
【補正方法】変更
【補正の内容】
【００１８】
この構成により、患者間での医薬の取り違えなどのミスを物理的に防ぐことが可能となる。各患者に付与されるＩＤなどの識別情報を利用して、患者固有の穿孔パターンを穿孔機で生成して与薬容器をセットする嵌合構造の可否を決定できるので、穿孔パターンと突出パターンが一致しないと穿孔プレートをプレート装着ブロックに装着できず、与薬容器を装着不能として、薬剤の取り違いを物理的に阻止できる。
【手続補正１４】
【補正対象書類名】明細書
【補正対象項目名】００１９
【補正方法】変更
【補正の内容】
【００１９】
第７の本発明は、前記課題を解決するための手段として、
与薬容器設置台に装着された状態で各患者に投与する薬剤を収納可能な与薬容器であって、
薬剤を収納する薬剤収納部と、
穿孔パターンを穿孔可能な平板状の穿孔領域を設けた穿孔プレートと
を備え、
前記穿孔プレートを、該与薬容器設置台に装着されたプレート装着ブロックに連結することで、該与薬容器を前記与薬容器設置台に装着すると共に、
前記穿孔プレートの穿孔パターンと、前記プレート装着部の突出パターンが一致する場合に、穿孔パターンに突出パターンを挿入してこれらを装着可能となるように構成したものである。
【手続補正１５】
【補正対象書類名】明細書
【補正対象項目名】００２０
【補正方法】変更
【補正の内容】
【００２０】
この構成により、患者間での医薬の取り違えなどのミスを物理的に防ぐことが可能となる。各患者に付与されるＩＤなどの識別情報を利用して、患者固有の穿孔パターンを穿孔機で生成して与薬容器をセットする嵌合構造の可否を決定できるので、穿孔パターンと突出パターンが一致しないと穿孔プレートをプレート装着ブロックに装着できず、与薬容器を装着不能として、薬剤の取り違いを物理的に阻止できる。
【手続補正１６】
【補正対象書類名】明細書
【補正対象項目名】００２１
【補正方法】変更
【補正の内容】
【００２１】
なお、前記第１の発明では、前記識別情報入力手段が、患者の識別情報を記録したＩＤカードを読み取るＩＤカード読み取り部としてもよい。これにより、患者のＩＤカードをＩＤカード読み取り部にセットすることで自動的にこのＩＤに記録された患者固有の識別情報を読み取り、これに応じた穿孔パターンを生成できるので、識別情報の入力を省力化すると共に入力ミスをなくし、より安全性の高い医療用患者照合システムが実現できる。
また、パターン生成手段で生成される穿孔パターンが、マトリクス状に構成されてなり、マトリクス状に配列された孔の組み合わせによって穿孔パターンを構成して、該穿孔パターンと合致するマトリクス状の突出パターンを挿入して嵌合するようにしてもよい。これにより、孔の有無の組み合わせという簡単なパターンにより、限られた穿孔領域内で多数の組み合わせを容易に生成でき、効率よく照合機能を実現できる。
また、前記穿孔パターンは、マトリクス状の少なくとも上段の隅部左右２ヵ所は、常に穿孔しておき、かつ突出パターンもこれに対応して、上段の隅部左右２ヵ所は、常に突出させておいてもよい。これにより、穿孔パターンの内、隅部の進退突起及び穿孔を、穿孔プレートを物理的にプレート装着ブロックに係止するための係止手段として併用できるので、別途係止構造を設けることなく、嵌合構造を係止手段に併用することができ、安価で簡素な構成が実現できる。
また、緊急用の穿孔プレートとして、穿孔パターンを構成するすべての位置を穿孔した穿孔パターン、かつ、すべての進退突起を突出させた緊急用のプレートを生成可能に構成してもよい。これにより、どのようなプレート装着ブロックにも装着可能な穿孔プレートとでき、急患などの緊急時にも速やかに使用可能な穿孔プレートを生成できる。また、プレート装着ブロックも全部突出させてもよく、これにより確実に緊急用穿孔プレートを装着できる。
また、前記与薬容器がシリンジであり、前記与薬容器設置台がシリンジポンプであればよい。これにより、シリンジポンプにシリンジをセットする際にも、患者照合を行うことができる。
【手続補正１７】
【補正対象書類名】明細書
【補正対象項目名】００２２
【補正方法】変更
【補正の内容】
【００２２】
各患者に投与する薬剤を収納した与薬容器が、該当する患者用のものであることを照合するための医療用患者照合システムであって、該与薬容器を吊り下げるための医療用容器吊下ハンガーに装着可能なプレート装着ブロックと、該与薬容器に装着可能な穿孔プレートとを備える。この医療用患者照合システムは、該与薬容器に装着された穿孔プレートと、医療用容器吊下ハンガーに装着されたプレート装着ブロックとを連結することで、該与薬容器を医療用容器吊下ハンガーに吊下可能に構成している。穿孔プレートは、該与薬容器に設けられた吊下部に装着可能な吊下装着部と、穿孔パターンを穿孔可能な平板状の穿孔領域とを備える。プレート装着ブロックは、医療用容器吊下ハンガーに装着可能なハンガー装着部と、与薬容器に装着された穿孔プレートの穿孔領域と略等しい大きさの平面状に形成されたプレート装着部と、プレート装着部に所定のパターンで形成された突起孔に挿入され、突出パターンに応じて突起孔から突出させることが可能な複数の進退突起とを備える。この医療用患者照合システムはさらに、各患者に付与される固有の識別情報を入力するための識別情報入力手段と、識別情報入力手段で入力された識別情報に従って、該識別番号と対応する固有の穿孔パターンを生成可能なパターン生成手段と、穿孔プレートをセットした状態で、パターン生成手段で生成された穿孔パターンに従って、穿孔プレートの穿孔領域を穿孔パターン通りに穿孔するための穿孔手段と、プレート装着ブロックをセットした状態で、パターン生成手段で生成された穿孔パターンと対応して、該穿孔パターンの各穿孔位置に対応する進退突起を突出／収納位置に調整してプレート装着部の突出パターンを形成する突出パターン形成手段とを有する穿孔機を備える。この医療用患者照合システムは、穿孔プレートの穿孔パターンと、プレート装着部の突出パターンが一致する場合に、穿孔パターンに突出パターンを挿入してこれらを装着可能に構成している。これにより、患者間での医薬の取り違えなどのミスを物理的に防ぐことが可能となる。各患者に付与されるＩＤなどの識別情報を利用して、患者固有の穿孔パターンを穿孔機で生成して与薬容器をセットする嵌合構造の可否を決定できるので、穿孔パターンと突出パターンが一致しないと、穿孔プレートをプレート装着ブロックに装着できず、与薬容器を吊り下げ不能として、薬剤の取り違いを物理的に阻止できる。
穿孔プレートを装着する与薬容器が輸液バッグであればよい。これにより、点滴などの輸液において、輸液バッグの取り違えを防止して安全性を高めた医療用患者照合システムが実現できる。
【手続補正１８】
【補正対象書類名】明細書
【補正対象項目名】００２３
【補正方法】変更
【補正の内容】
【００２３】
前記第４の発明では、識別情報入力手段が、患者の識別情報を記録したＩＤカードを読み取るＩＤカード読み取り部としてもよい。これにより、患者のＩＤカードをＩＤカード読み取り部にセットすることで自動的にこのＩＤに記録された患者固有の識別情報を読み取り、これに応じた穿孔パターンを生成できるので、識別情報の入力を省力化すると共に入力ミスをなくし、より安全性の高い医療用患者照合システムが実現できる。
また、パターン生成手段で生成される穿孔パターンが、マトリクス状に構成されてなり、マトリクス状に配列された孔の組み合わせによって穿孔パターンを構成して、該穿孔パターンと合致するマトリクス状の突出パターンを挿入して嵌合するよう構成してもよい。これにより、孔の有無の組み合わせという簡単なパターンにより、限られた穿孔領域内で多数の組み合わせを容易に生成でき、効率よく照合機能を実現できる。
穿孔パターンは、マトリクス状の少なくとも上段の隅部左右２ヵ所は、常に穿孔しておき、かつ突出パターンもこれに対応して、上段の隅部左右２ヵ所は、常に突出させておいてもよい。これにより、穿孔パターンの内、隅部の進退突起及び穿孔を、穿孔プレートを物理的にプレート装着ブロックに係止するための係止手段として併用できるので、別途係止構造を設けることなく、嵌合構造を係止手段に併用することができ、安価で簡素な構成が実現できる。
緊急用の穿孔プレートとして、穿孔パターンを構成するすべての位置を穿孔した穿孔パターン、かつ、すべての進退突起を突出させた緊急用のプレートを生成可能に構成してもよい。これにより、どのようなプレート装着ブロックにも装着可能な穿孔プレートとでき、急患などの緊急時にも速やかに使用可能な穿孔プレートを生成できる。また、プレート装着ブロックも全部突出させてもよく、これにより確実に緊急用穿孔プレートを装着できる。
【手続補正１９】
【補正対象書類名】明細書
【補正対象項目名】００２４
【補正方法】変更
【補正の内容】
【００２４】
前記第５の発明では、さらにプレート装着部に穿孔プレートを装着した状態で、穿孔プレートの上面を覆うカバー部を備えており、カバー部は、すべての突起孔に対応する位置に開口を設けており、プレート装着部に穿孔プレートを装着した状態で、突出状態にある進退突起を各々対応する開口に挿入するよう構成してもよい。これにより、穿孔プレートをプレート装着部に嵌合した状態で穿孔プレートが抜け落ちるのが防止され、より確実に与薬容器を装着して固定できる。
また、与薬容器設置台に与薬容器を吊り下げるための医療用容器吊下ハンガーを備えるようにしてもよい。これにより、輸液バッグなどの与薬容器を吊り下げる医療用容器吊下ハンガーに、上記与薬容器設置台を適用して確実な患者照合を実現できる。
また、与薬容器設置台は、複数のプレート装着ブロックを、医療用容器吊下ハンガーの一端において円環状に配置してもよい。これにより、複数の輸液バッグなどの与薬容器を使用する場合でも、これらを離間して配置できるため、各輸液バッグの視認性がよくなり、従来の問題点であった同一のフック等に多数の輸液バッグを重ねた際にラベルの視認性が悪くなり、取り違えに気付き難くなるという問題を回避でき得る。
また、与薬容器設置台は、さらに該当する患者の氏名を表示する氏名表示欄を備えていてもよい。これにより、与薬容器設置台を使用する患者の名前を表示することができ、与薬容器設置台自体の物理的な取り違えを防止できる。
また、プレート装着ブロックを与薬容器設置台から着脱式に構成してもよい。これにより、プレート装着ブロックを既存の与薬容器設置台に装着して、与薬容器の照合機構を実現できる。また与薬容器設置台に装着するプレート装着ブロックの数や固定位置を容易に変更できるようにすることで、使い勝手を改善できる。
【手続補正２０】
【補正対象書類名】明細書
【補正対象項目名】００２５
【補正方法】変更
【補正の内容】
【００２５】
また、前記第６の発明に代えて、
各患者に投与する薬剤を収納した与薬容器が、該当する患者用のものであることを照合するための医療用患者照合システムにおいて使用される、与薬容器を装着するためのプレート装着ブロックであって、
与薬容器が有する穿孔プレートの穿孔領域と略等しい大きさの平面状に形成されたプレート装着部と、
前記プレート装着部に所定のパターンで形成された突起孔に挿入され、突出パターンに応じて突起孔から突出させることが可能な複数の進退突起と、
各患者に付与される固有の識別情報を入力するための識別情報入力手段と、
前記識別情報入力手段で入力された識別情報に従って、該識別番号と対応する固有の穿孔パターンを生成可能なパターン生成手段と、
前記パターン生成手段で生成された穿孔パターンと対応して、該穿孔パターンの各穿孔位置に対応する進退突起を突出／収納位置に調整してプレート装着部の突出パターンを形成する突出パターン形成手段と、
を備え、
前記穿孔プレートに形成された穿孔パターンと、前記プレート装着部の突出パターンが一致する場合に、穿孔パターンに突出パターンを挿入してこれらを装着可能としもよい。
【手続補正２１】
【補正対象書類名】明細書
【補正対象項目名】００２６
【補正方法】変更
【補正の内容】
【００２６】
この構成により、患者間での医薬の取り違えなどのミスを物理的に防ぐことが可能となる。各患者に付与されるＩＤなどの識別情報を利用して、患者固有の穿孔パターンを穿孔機で生成して与薬容器をセットする嵌合構造の可否を決定できるので、穿孔パターンと突出パターンが一致しないと穿孔プレートをプレート装着ブロックに装着できず、与薬容器を装着不能として、薬剤の取り違いを物理的に阻止できる。
【手続補正２２】
【補正対象書類名】明細書
【補正対象項目名】００２７
【補正方法】変更
【補正の内容】
【００２７】
また、前記第１の発明に代えて、
各患者に投与する薬剤を収納した与薬容器が、該当する患者用のものであることを照合するための医療用患者照合システムにおいて使用される、与薬容器を与薬容器設置台に装着するため与薬容器に装着可能な穿孔プレートであって、
該与薬容器に設けられた装着部分に装着可能な容器連結部と、
穿孔パターンを穿孔可能な平板状の穿孔領域と
を備え、
該与薬容器に装着された穿孔プレートと、前記与薬容器設置台に装着されたプレート装着ブロックとを連結することで、該与薬容器を前記与薬容器設置台に装着すると共に、
前記穿孔プレートの穿孔パターンと、前記プレート装着部の突出パターンが一致する場合に、穿孔パターンに突出パターンを挿入してこれらを装着可能に構成したものである。
【手続補正２３】
【補正対象書類名】明細書
【補正対象項目名】００２８
【補正方法】変更
【補正の内容】
【００２８】
この構成により、患者間での医薬の取り違えなどのミスを物理的に防ぐことが可能となる。各患者に付与されるＩＤなどの識別情報を利用して、患者固有の穿孔パターンを穿孔機で生成して与薬容器をセットする嵌合構造の可否を決定できるので、穿孔パターンと突出パターンが一致しないと穿孔プレートをプレート装着ブロックに装着できず、与薬容器を装着不能として、薬剤の取り違いを物理的に阻止できる。
【手続補正２４】
【補正対象書類名】明細書
【補正対象項目名】００２９
【補正方法】削除
【補正の内容】
【手続補正２５】
【補正対象書類名】明細書
【補正対象項目名】００３０
【補正方法】削除
【補正の内容】
【手続補正２６】
【補正対象書類名】明細書
【補正対象項目名】００３１
【補正方法】削除
【補正の内容】